(57)【特許請求の範囲】
【請求項１】
刷版に供給するインキを溜めたインキつぼと、このインキつぼからインキを引き出すインキ出しローラとを備え、前記インキつぼの各々には、前記インキ出しローラの長手方向に向かって並設されかつ独立的に前記インキ出しローラの外周面に対する開度を調整可能とされた複数のインキキーが設けられ、これらのインキキーの開度を、前記刷版の絵柄面積率に対応させてプリセットするために調整する印刷機におけるインキ装置のインキキー開度調整方法であって、
前記刷版の絵柄面積率を測定する絵柄面積率測定装置により、
前記刷版の絵柄面積率を、前記インキキーの幅と同じ寸法の横とその横に直交する方向を所定長さに区切った縦とで形成される単位面積部毎に測定し、
得られた前記単位面積部毎の絵柄面積率データに所定の変換関数を適用して各単位面積部毎の絵柄濃度データを求め、
その後、前記縦方向に並んでいる前記各単位面積部のそれぞれの前記絵柄濃度データを集計してキーゾーン毎の絵柄濃度データを求めるとともに、そのキーゾーン毎の絵柄濃度データを各キーゾーンを構成する前記単位面積部の数で除して求めた平均値を各キーゾーン毎のキー開度プリセットデータとすることを特徴とする印刷機におけるインキ装置のインキキー開度調整方法。
【請求項２】
請求項１に記載の印刷機におけるインキ装置のインキキー開度調整方法において、前記単位面積部毎の前記絵柄面積率の測定は、前記単位面積部が並設された前記縦方向および前記横方向の任意の方向について行われることを特徴とする印刷機におけるインキ装置のインキキー開度調整方法。
【発明の詳細な説明】
【０００１】
【発明の属する技術分野】
本発明は、印刷機におけるインキ装置のインキキー開度調整方法に係り、さらに詳しくは、例えばオフセット輪転印刷機等の印刷機の刷版の絵柄面積率（刷版の全面積に対する画線部の面積の比率）のデータ、又はＣＴＰ（コンピュータ・トゥ・プレート）イメージングデータからインキキーの開度を求め、このインキキーの開度をプリセットする印刷機におけるインキ装置のインキキー開度調整方法に関する。
【０００２】
【背景技術】
従来より、印刷運転を行うにあたって刷版への供給インキ量を調整するためにインキキーの開度をプリセットするには、以前に行った同種の印刷運転におけるインキキー開度データに基づいてプリセットを行う場合と、刷版の絵柄面積率データに対応するインキキー開度データを求めてこのデータに従ってプリセットを行う場合とがある。
【０００３】
このうち後者の絵柄面積率データから設定する場合において、絵柄面積率を測定するには、従来、図３に示すように、絵柄面積率測定装置２０により行われ、この絵柄面積率測定装置２０は、例えば、オフセット輪転印刷機１０に付設されている。
オフセット輪転印刷機１０には、絵柄面積率測定装置２０の他に複数の印刷ユニット１１Ａ，１１Ｂ〜１１Ｎが設けられ、これらの測定装置２０と印刷ユニット１１Ａ，１１Ｂ〜１１Ｎとは、光ケーブル等の伝送ライン３０を介して互いに接続されている。
【０００４】
印刷ユニット１１Ａ，１１Ｂ〜１１Ｎは、ＣＰＵ１２を含む制御装置１３と、この制御装置１３からの指令に基づいて印刷を行う印刷部１４とを備えて構成されている。
印刷部１４は、図４にも示すようにインキ供給装置１５を備え、このインキ供給装置１５は、インキを溜めたインキつぼ１７を有し、インキ出しローラ１６を回転させることにより、インキつぼ１７からインキを引き出してそのインキをインキ出しローラ１６の周面に供給する構成となっている。
【０００５】
インキつぼ１７には、インキ出しローラ１６の長手方向に向かって並設され、かつ、独立的にインキ出しローラ１６の外周面に対する開度を調整可能とされた複数のインキキー１８が設けられている。そして、これらのインキキー１８の開度の調整はインキキー開度調整手段５により行われ、供給インキ量が自在に調整されるようになっている。
【０００６】
インキキー開度調整手段５は、モータ６と、このモータ６によって回転される回転筒７と、この回転筒７の回転に伴って進退されてインキキー１８をインキ出しローラ１６の周面に対して近接離隔させる進退棒８とを含み構成され、各インキつぼ１７の各インキキー１８毎に個別に設けられ、かつ個別に操作可能となっている。
【０００７】
図３に示すように、絵柄面積率測定装置２０は、例えば、光源からの光を刷版４０に照射するとともに、刷版４０からの反射光を受光し、その受光した反射光量を電気信号に変換してＣＰＵ（中央演算処理装置）２１に与えるスキャニング部２２を備え、このスキャニング部２２をＣＰＵ２１からの指令に従って刷版４０の幅方向に移動させて走査を行うようになっている。この装置２０は、インキキー１８の幅Ｗ（図３参照、例えば、３２ｍｍ幅）よりも狭い幅（例えば、２ｍｍ幅）単位でデータを測定しておき、この細かなデータをインキキー１８の幅Ｗ単位に変換する構成となっている。
【０００８】
ＣＰＵ２１は、スキャニング部２２が刷版４０の幅方向に向かって一定幅移動する毎に、スキャニング部２２から与えられる信号を処理して絵柄面積率を求め、その一定幅単位毎の絵柄面積率データを順次メモリ２３へ記憶させる一方、印刷ユニット１１Ａ等からの伝送指令に従って、図示しないメモリに記憶されている絵柄面積率データを、伝送指令を送った印刷ユニット１１Ａ等へ伝送させるようになっている。
【０００９】
従来のキー開度プリセットデータの算出は、このような絵柄面積率測定装置２０により次のように行われていた。
すなわち、図５（Ａ），（Ｂ）に示すような絵柄分布状態となった刷版４０を、絵柄面積率測定装置２０により、図５（Ｃ）に示すように、まず、１ＣＨ、２ＣＨ、３ＣＨの３つのキーゾーン（図の短冊状になったゾーン；インキキーの幅に相当）４１，４２，４３毎の絵柄面積率を求める。なお、キーゾーンは、インキキーの数だけあるが、図では３つのみ示されている。
【００１０】
ここで、第１のゾーン４１は、５０％部が４カ所あるので、ゾーン全体としては合計２００％となり、ゾーンの平均では５０％の絵柄面積率がデータとして記録される。第２のゾーン４２では、７５％部、２５％部がそれぞれ２カ所づつあるので、ゾーン全体としては合計２００％となり、ゾーンの平均では５０％の絵柄面積率がデータとして記録される。第３のゾーン４３では、１００％部、０％部がそれぞれ２カ所づつあるので、ゾーン全体としては合計２００％となり、ゾーンの平均では５０％の絵柄面積率がデータとして記録される。
【００１１】
次に、このようなキーゾーン４１，４２，４３毎の絵柄面積率を、図５（Ｅ）に示すグラフ４４の絵柄面積率変換関数に基づいて変換し、図５（Ｄ）に示すような、キーゾーン４１，４２，４３毎のキー開度プリセットデータ４５を算出する。
このようにして求めたキー開度プリセットデータ４５は、どのキーゾーン４１，４２，４３でも、絵柄面積率は前述のように５０％であるために、変換関数をどのような関数にしても、同一値となり、どのキーゾーンも５５％に変換されている。
【００１２】
また、刷版４０から面積率を測定する際、従来では、刷版４０の挿入方向を一定方向に決めて測定しながらキーゾーンデータを集計していた。
【００１３】
【発明が解決しようとする課題】
しかしながら、従来のキーゾーン毎の面積率データを用いると、そのキーゾーンでの濃度分布の情報がないため、図５（Ａ），（Ｂ）に示すように、絵柄分布にばらつきがあって濃度が異なっていても、キー開度プリセット値は同じ値になってしまう。
一方、単位面積率あたりのインキ使用量はそれぞれの面積率に対し重みづけをする必要がある。
ところが、実際の印刷では、ベタ部がある場合と均一な面積率の絵柄ではドットゲイン、インキ転移等によりインキ供給量に違いがでるため、製品印刷時のキー開度とプリセットキー開度とに比較的大きな差が生じることが多い。その結果、生じた差を小さくするためにインキキー開度の補正をする必要がある。この補正は、印刷機が動いている中でオペレータが調整しながら行うため、比較的多くの時間がかかり、従って、印刷開始時のヤレ（損紙）枚数の増加を生じ、また、印刷開始時の色合わせ時間が長くなるという問題がある。
【００１４】
本発明の目的は、インキキーの開度を最適に設定するための精度のよいプリセットデータを得ることができるとともに、インキキー開度のプリセットキー開度に対する誤差の補正を行う調整時間の短縮を図ることにより、ヤレ枚数の低減および印刷開始時の色合わせ時間の短縮を図れるようになる印刷機におけるインキ装置のインキキー開度調整方法を提供することにある。
【００１５】
【課題を解決するための手段】
本発明の請求項１に記載の印刷機におけるインキ装置のインキキー開度調整方法は、刷版に供給するインキを溜めたインキつぼと、このインキつぼからインキを引き出すインキ出しローラとを備え、前記インキつぼの各々には、前記インキ出しローラの長手方向に向かって並設されかつ独立的に前記インキ出しローラの外周面に対する開度を調整可能とされた複数のインキキーが設けられ、これらのインキキーの開度を、前記刷版の絵柄面積率に対応させてプリセットするために調整する印刷機におけるインキ装置のインキキー開度調整方法であって、前記刷版の絵柄面積率を測定する絵柄面積率測定装置により、前記刷版の絵柄面積率を、前記インキキーの幅と同じ寸法の横とその横に直交する方向を所定長さに区切った縦とで形成される単位面積部毎に測定し、得られた前記単位面積部毎の絵柄面積率データに所定の変換関数を適用して各単位面積部毎の絵柄濃度データを求め、その後、前記縦方向に並んでいる前記各単位面積部のそれぞれの前記絵柄濃度データを集計してキーゾーン毎の絵柄濃度データを求めるとともに、そのキーゾーン毎の絵柄濃度データを各キーゾーンを構成する前記単位面積部の数で除して求めた平均値を各キーゾーン毎のキー開度プリセットデータとすることを特徴とするものである。
【００１６】
以上において、単位面積部を構成する横および縦寸法は、特に限定されず、横寸法はインキキーの種類によって適宜替わり、縦寸法も刷版の大きさによって適宜替えてもよいものである。また、単位面積部毎の絵柄面積率の測定を行うに際し、絵柄面積率測定装置により読み取る刷版は印刷機に装着されるものに限らず、ＣＴＰ（コンピュータ・トゥ・プレート）のイメージングデータから読み取ってもよい。
【００１７】
このような本発明においては、キーゾーン毎の絵柄濃度データは、単位面積部毎の絵柄面積率データを基礎として求められるので、絵柄分布、絵柄濃度の実状により正確に対応できるものとなり、精度のよいプリセットデータを得ることができる。従って、ドットゲイン、インキ転移等によるインキ供給量の違いを少なくでき、製品印刷時のキー開度とプリセットキー開度との差を少なくすることができるので、両開度の差を補正するための調整時間が短縮され、その結果、ヤレ枚数の低減を図れるとともに、印刷開始時の色合わせ時間の短縮を図れるようになる。
【００１８】
本発明の請求項２に記載の印刷機におけるインキ装置のインキキー開度調整方法は、請求項１に記載の印刷機におけるインキ装置のインキキー開度調整方法において、前記単位面積部毎の前記絵柄面積率の測定は、前記単位面積部が並設された前記縦方向および前記横方向の任意の方向について行われることを特徴とするものである。
【００１９】
このような本発明では、単位面積部等毎の絵柄面積率を測定できるので、後工程にてキーゾーンの方向を考慮して集計できる。このため、刷版を縦横寸法の短い方向から絵柄面積率計に挿入できるので、絵柄面積率測定装置を小型化することができる。
【００２０】
【発明の実施の形態】
以下に、本発明の一実施形態を図面に基づいて説明する。
本実施形態は、刷版の単位面積部毎の絵柄面積率を求め、その絵柄面積率を基礎にキーゾーン毎のキー開度を求めようとするものである。
図１では、１ＣＨ、２ＣＨ、３ＣＨと３つのキーゾーン４１，４２，４３が示されている。
【００２１】
すなわち、まず、刷版４０の絵柄面積率を測定するに際し、前記絵柄面積率測定装置２０により、例えば、３つだけ示された１ＣＨ、２ＣＨ、３ＣＨのキーゾーン４１，４２，４３を、それぞれ、インキキー１８の幅寸法と同じ寸法の横と、その横に直交する方向に所定長さで区切った縦とを有する複数の単位面積部４１Ａ〜４１Ｄ、４２Ａ〜４２Ｄ、４３Ａ〜４３Ｄ毎に測定できるようにする。
ここで、絵柄面積率測定装置２０のスキャニング部２２で刷版４０の絵柄面積率を読み取るに際し、前述のように、ごく小さな単位幅（例えば、２ｍｍ）で所定の縦方向の単位長さ（例えば、３０ｍｍ）の間をインキキー１８の幅と同じ寸法（例えば、３２ｍｍ）だけ走査する。つまり、この実施形態での単位面積部４１Ａ等の大きさは、縦横が３０ｍｍ×３２ｍｍとなっている。
その結果、図１（Ｃ）に示すように、例えば単位面積部４１Ａは５０％、４２Ａは７５％、４３Ａは１００％の絵柄面積率データとなる。
【００２２】
次に、単位面積部４１Ａ〜４１Ｄ、４２Ａ〜４２Ｄ、４３Ａ〜４３Ｄ毎の絵柄面積率を、図１（Ｄ）のグラフ４の濃度変換用の変換関数により濃度変換する。その結果、例えば７５％の絵柄面積率を有する単位面積部４２Ａの濃度は８０％に、１００％の絵柄面積率を有する単位面積部４３Ａの濃度は１２０％に、それぞれ変換される。なお、２５％および５０％の絵柄面積率を有する単位面積部４１Ａ，４２Ｄの濃度は２５％および５０％である。
【００２３】
その後、このようにして得られた単位面積部４１Ａ，４２Ａ，４３Ａ等毎の濃度データを、前述のように、１ＣＨ、２ＣＨ、３ＣＨの３つのキーゾーン４１，４２，４３毎に集計した後、その平均値をキーゾーン毎のキー開度プリセットデータ３として算出する。
【００２４】
その結果、第１のゾーン４１のキー開度は５０％となり、第１のゾーン４２のキー開度は、４つの単位面積部４２Ａ〜４２Ｄの濃度データを合計した値２１０％を４で除した値５２．２を切り上げて５３％となり、第３のゾーン４３のキー開度は、４つの単位面積部４３Ａ〜４３Ｄの濃度データを合計した値２４０％を４で除した値６０％となる。
【００２５】
なお、絵柄面積率測定装置２０によるゾーン毎の集計に先立つ各単位面積部４１Ａ等の測定は、縦方向および横方向に関係なく行えるようになっており、従って、測定時に測定方向を決めなくてもすむようになっている。
【００２６】
以上のようにして求められたキーゾーン４１，４２，４３等毎のキー開度プリセットデータに基づいてインキキーの開度を調整し、印刷機を運転した結果（実施例）が図２に示されている。
このグラフは、実際の印刷過程における、キー開度プリセットデータと、製品印刷時のキー開度データを、各キーゾーン毎に表したものである。この図２からわかるように、本実施形態のキー開度調整方法により算出したキー開度プリセットは、製品印刷時のキー開度にきわめて近いことが検証される。
【００２７】
このような本実施形態によれば、次のような効果がある。
▲１▼刷版４０の絵柄面積率を単位面積部４１Ａ，４２Ａ等毎に測定し、そのデータを濃度データに変換した後、ゾーン毎の平均を求め、その平均値をキー開度データとして用いるので、刷版４０の実際の絵柄面積率により近い状態で対応できることになり、インキキーの開度を最適に設定するために精度のよいプリセットデータを得ることができる。その結果、インキキー開度のプリセットキー開度に対する誤差の補正を行う調整時間を短縮することができるので、ヤレ枚数の低減を図れるとともに、印刷開始時の色合わせ時間の短縮を図れるようになる。
【００２８】
▲２▼単位面積部４１Ａ，４２Ａ等毎の絵柄面積率を測定できるので、後工程にてキーゾーンの方向を考慮して集計できる。このため、測定できる最大刷版は縦横寸法の長さにより決められるので、従来よりも大きな刷版の測定が可能となる。あるいは、決められた大きさの刷版を測定する場合、刷版を縦横寸法の短い方向から絵柄面積率計に挿入できるため、絵柄面積率測定装置を小型化することができる。
【００２９】
なお、本発明は前記実施形態に限定されるものではなく、本発明の目的を達成できる範囲内での変形等は本発明に含まれるものである。
例えば、前記実施形態では、インキキー開度調整手段４０は、モータ４１と回転筒４２と進退棒４３とにより構成されていたが、本発明のインキキー開度調整手段は、このような構成に限定されるものではなく、要するに、各インキつぼ３の各インキキー４を個別に操作できるものであればよい。
【００３０】
また、前記実施形態では、絵柄面積率測定装置２０のスキャニング部２２による刷版４０の絵柄面積率の読み取りは、所定の単位幅（例えば、２ｍｍ）で所定の単位長さ（例えば、３０ｍｍ）の間を所定の幅（例えば、３２ｍｍ）だけ走査するもので、単位面積部４１Ａ等の大きさは、縦横が３０ｍｍ×３２ｍｍとなっていたが、これに限らず、単位面積部４１Ａ等の大きさは任意である。要するに、刷版４０を単位面積部毎にその面積率を測定できればよい。
その結果、図１（Ｃ）に示すように、例えば単位面積部４１Ａは５０％、４２Ａは７５％、４３Ａは１００％の絵柄面積率データとなる。
【００３１】
【発明の効果】
以上に説明したように、本発明の印刷機におけるインキ装置のインキキー開度調整方法によれば、キーゾーン毎の絵柄濃度データは、単位面積部毎の絵柄面積率データを基礎として求められるので、絵柄分布、絵柄濃度の実状により正確に対応できるものとなり、精度のよいプリセットデータを得ることができる。従って、ドットゲイン、インキ転移等によるインキ供給量の違いを少なくでき、製品印刷時のキー開度とプリセットキー開度との差を少なくすることができるので、補正のための調整時間を短縮でき、その結果、ヤレ枚数の低減を図れるとともに、印刷開始時の色合わせ時間の短縮を図れるようになる。
【００３２】
また、単位面積部等毎の絵柄面積率を測定できるので、後工程にてキーゾーンの方向を考慮して集計できる。このため、刷版を縦横寸法の短い方向から絵柄面積率計に挿入できることになり、絵柄面積率測定装置を小型化することができる。
【図面の簡単な説明】
【図１】本発明に係る一実施形態のインキキー開度調整方法によるプリセットデータを得る手順を示す図である。
【図２】前記実施形態のインキキー開度調整方法によるプリセットデータのインキキーの開度と製品印刷時のキー開度データとの各ゾーン毎の比較を示す図である。
【図３】本発明の従来のインキキー開度調整方法が適用されるオフセット輪転印刷機を示す図である。
【図４】前記従来のインキ供給装置およびインキキー開度調整手段を示す図である。
【図５】本発明の従来のインキキー開度調整方法によるプリセットデータを得る手順を示す図である。
【符号の説明】
５  インキキー開度調整手段
１５  インキ供給装置
１８  インキキー
２０  絵柄面積率測定装置
４０  刷版
４１  第１のキーゾーン
４２  第２のキーゾーン
４３  第３のキーゾーン
４１Ａ〜４１Ｄ  第１のキーゾーンの単位面積部
４２Ａ〜４２Ｄ  第２のキーゾーンの単位面積部
４３Ａ〜４３Ｄ  第３のキーゾーンの単位面積部
【図１】
0003679261.tif 000002
【図２】
0003679261.tif 000003
【図３】
0003679261.tif 000004
【図４】
0003679261.tif 000005
【図５】
0003679261.tif 000006